【事件の表示】
　特願２００２−１０９９３４「薬剤揮散装置」拒絶査定不服審判事件〔平成１５年１０月２１日出願公開、特開２００３−２９９７２０〕について、次のとおり審決する。
【結　論】
　本件審判の請求は、成り立たない。
【理　由】
１．手続の経緯
　
　本願は、平成１４年４月１２日の出願であって、平成２１年２月１２日付けで拒絶査定がなされ、これに対し、同年３月１８日に拒絶査定不服審判の請求がなされると同時に、明細書を対象とする手続補正がなされたものである。
　そして、当審において平成２３年７月８日付けで拒絶の理由を通知したところ、同年９月１２日付けで明細書を対象とする手続補正がなされたものである。
　
２．当審の拒絶理由
　
　当審において通知した拒絶の理由のうちの１つの概要は、次のとおりである。
　
「この出願の請求項１ないし６に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　記
１．特開平４−５６６２５号公報
２．実願昭５７−８０４３３号（実開昭５８−１８２７４２号）のマイクロフィルム
３．特開平５−８４２８５号公報
４．特開平８−４００６５号公報」
　
３．本願発明
　
　本願の請求項１に係る発明（以下、「本願発明」という。）は、平成２３年９月１２日付けの手続補正書によって補正された明細書及び図面の記載からみて、本願の特許請求の範囲の請求項１に記載された事項により特定される、次のとおりのものと認める。
　
「装置本体１と、送風機２と、揮散性薬剤を有する薬剤保持体３と、前記送風機２を駆動制御する制御部５と、起動手段６と、切換手段７を備え、送風機２を駆動して薬剤保持体３に送風することで揮散性薬剤を気中に揮散する薬剤揮散装置であって、
　前記制御部５は、送風機２の電動モータ２ｂに通電制御する電流制御回路２０に、間欠的に通電信号を出力する第１通電信号出力回路２１を有し、前記電動モータ２ｂに間欠的に通電する第１制御部８と、前記電流制御回路２０に、連続的に通電信号を出力する第２通電信号出力回路２２を有し、前記電動モータ２ｂに連続的に通電する第２制御部９と、通常時は前記第１通電信号出力回路２１の通電信号を前記電流制御回路２０に出力する第１位置に保持され続け、切換信号が入力されると第２通電信号出力回路２２の通電信号を前記電流制御回路２０に出力する第２位置に切り換わり、その切換信号が入力されなくなると前記第１位置に切り換わる切換スイッチ２３を備え、
　前記起動手段６は、前記第１・第２通電信号出力回路２１，２２に起動信号を入力し、
　前記切換手段７は、前記制御部５に切換信号を入力し、
　前記制御部５は、前記起動手段６から起動信号が入力されると第１制御部８が作動して送風機２を間欠駆動し、前記起動信号が入力されている時に前記切換手段７から切換信号が入力されると第２制御部９が作動して送風機２を連続駆動し、かつ前記切換信号が入力されなくなった時には第１制御部８が作動して前記送風機２を間欠駆動することを特徴とする薬剤揮散装置。」
　
４．引用例
　
４−１．引用例１
　
　当審の拒絶の理由に引用した特開平４−５６６２５号公報（以下、「引用例１」という。）には、以下の事項が図面とともに記載されている。
　
（１ａ）「この発明は、芳香剤、消臭剤を内蔵し、送風手段によって強制的に室内空気を循環させて、室内の芳香、消臭を行なうフレグランスコントローラに関する。」（第２頁左上欄第８ないし１１行）
　
（１ｂ）「第１図、第２図に示すように、この発明に係るフレグランスコントローラ１０は、ユニットベース１２によって、自動車のルームランプ１４とともにユニット化され、自動車の室内天井１６に取付けられている。
　ユニットベース１２は、第２図に示すように、たとえば、上端の開口されたボックス状に成形され、芳香剤１８、消臭剤２０を収納する収納部２２、２４が、底部に個別に形成されている。」（第３頁左上欄第１６行ないし右上欄第４行）
　
（１ｃ）「そして、第２図に示すように、たとえば、収納部２２、２４の上方に、送風手段４０が設けられている。」（第３頁右上欄第１９及び２０行）
　
（１ｄ）「電子ファン４０は、第３図を見るとわかるように、直流電圧を交流電圧に変換するＤＣ／ＡＣインバータ４８に接続され、ＤＣ／ＡＣインバータは、電源スイッチ５０を介して、自動車のバッテリー５２に接続されている。電源スイッチ５０は、たとえば、ドライバーの操作可能な位置、たとえば、第１図に示すように、ユニットベース１２の側面等に設けられる。
　このような構成によれば、電源スイッチ５０の操作による電子ファン４０の駆動によって、ベースユニット底部、つまり、収納部２２、２４の吸込口３０、３１を介して、電子ファンの吸込口４０ａに吸込まれた室内空気が、電子ファンの送風口４０ｂから吹出口４６を介して、自動車室内に吹出される。」（第３頁右下欄第１１行ないし第４頁左上欄第３行）
　
（１ｅ）「また、第３図に示すように、この発明のフレグランスコントローラ１０は、インターバルタイマー７６を具備し、タイムセレクタ７８によって選択された所定時間の経過ごとに、一定の時間だけ供給電圧を遮断する間欠式に構成されている。インターバルタイマーのタイムセレクタ７８は、第３図を見るとわかるように、たとえば、１０秒、２０秒、３０秒の作動ポジションと、供給電圧の遮断のない連続ポジションと、インターバルタイマー７６のオフを設定するオフポジショを有して形成されている。そして、インターバルタイマー７６は、たとえば、ＤＣ／ＡＣインバータ４８、ヒータコントロール回路７４にそれぞれ接続され、タイムセレクタ７８によって設定された作動時間の経過後、たとえば、１０分間だけ供給電圧を遮断するように構成されている。
　なお、タイムセレクタ７８は、ドライバー等の乗員の操作可能な位置、たとえば、第１図に示すように、電源スイッチ５０と同様に、ユニットベース１２の側面に設けられる。
　たとえば、インターバルタイマーのタイムセレクタ７８によって、作動時間１０秒を選択したと仮定する。すると、第５図に示すように、インターバルタイマー７６によって、たとえば、選択された作動時間の１０秒間だけＤＣ／ＡＣインバータを介して、電子ファンに交流電圧が印加され、電子ファンが１０秒間だけ駆動して、切換えシャッタ５８によって選択された芳香、消臭のいずれかが行なわれる。
　そして、１０秒間が経過すると、インターバルタイマー７６によって、一定時間、たとえば、１０分間だけ電子ファン４０への供給電圧が遮断され、１０分間経過した後、再び、１０秒間だけ電子ファンが作動される。」（第４頁右下欄第１９行ないし第５頁右上欄第１０行）
　
（１ｆ）「このような構成では、電子ファン４０の駆動による室内空気の循環時間、つまり、芳香、消臭の作用時間が任意に選択でき、ドライバーやその他乗員の好み等に応じた香料の濃度、消臭状態等の室内環境が設定できる。そのため、快適な乗降車性が確保できる。
　そして、電子ファン４０、ヒータパネル７２が間欠式に作動するため、バッテリー５２の過剰な消耗が防止できる。」（第５頁左下欄第７ないし１５行）
　
（１ｇ）「また、タイムセレクタ７８によって、連続ポジションを選択した場合においては、１０分間の遮断時間はなく、連続して電子ファン４０の駆動等が行なわれる。」（第５頁左下欄第２０行ないし右下欄第３行）
　
（１ｈ）また、送風手段４０の駆動を制御する部分は、制御部ということができる。
　
　これらの記載事項によると、引用例１には、次の発明（以下、「引用発明１」という。）が記載されていると認められる。
　
「ユニットベース１２と、送風手段４０と、芳香剤１８、消臭剤２０を収納する収納部２２、２４と、前記送風手段４０を駆動制御する制御部と、電源スイッチ５０と、タイムセレクタ７８を備え、送風手段４０を駆動して収納部２２、２４に送風することで芳香剤１８、消臭剤２０を室内空気中に発散するフレグランスコントローラであって、
　送風手段４０はＤＣ／ＡＣインバータ４８に接続され、ＤＣ／ＡＣインバータ４８は電源スイッチ５０を介してバッテリー５２に接続されており、電源スイッチ５０の操作により送風手段４０が駆動し、
　また、インターバルタイマー７６を具備し、インターバルタイマー７６のタイムセレクタ７８は、所定時間の作動ポジションと、供給電圧の遮断のない連続ポジションと、インターバルタイマー７６のオフを設定するオフポジションとを有して形成され、インターバルタイマー７６はＤＣ／ＡＣインバータ４８に接続され、
　インターバルタイマー７６のタイムセレクタ７８によって所定時間の作動ポジションを選択したとすると、インターバルタイマー７６によって選択された所定時間だけＤＣ／ＡＣインバータ４８を介して送風手段４０に交流電圧が印加され、送風手段４０が所定時間だけ駆動して、所定時間が経過すると、インターバルタイマー７６によって一定時間だけ送風手段４０への供給電圧が遮断され、一定時間経過した後、再び所定時間だけ送風手段４０が作動される間欠式に構成され、
　タイムセレクタ７８によって連続ポジションを選択した場合においては、連続して送風手段４０の駆動が行われる、
　フレグランスコントローラ。」
　
４−２．引用例２
　
　当審の拒絶の理由に引用した実願昭５７−８０４３３号（実開昭５８−１８２７４２号）のマイクロフィルム（以下、「引用例２」という。）には、以下の事項が図面とともに記載されている。
　
（２ａ）「２．実用新案登録請求の範囲
（１）電力を供給する直流電源と、室内照度を検出する照度検知回路と、前記照度検知回路からの信号を受けてモータを駆動制御する制御回路と、この制御回路は照度設定用の基準電圧を発生する照度基準回路と、この照度基準回路により発生された照度基準電圧と前記照度検知回路により検出された照度検知電圧を比較する照度比較回路と、この照度比較回路の出力によりモータの回転速度を複数段に切換制御する切換回路とからなり、前記モータの回転軸に取付けられたファンにより芳香剤揮発面に吹きつけられる空気量を制御して芳香剤の蒸発速度を照度に応答して可変制御することを特徴とする芳香剤発散器。」
　
（２ｂ）「室内照度が基準照度（回路的に可変）より下がったときにモータ回転速度を減少する減速信号を出力し、照度が小なる時には芳香剤の揮発を抑制し、照度が大なる時には芳香剤の揮発を促進させることができ室内が暗い時に芳香剤の発散を抑制し芳香剤の無意味な消耗を押えることのできる芳香剤発散器を提供することを目的とする。」
　
（２ｃ）「第１図は本考案発散器の説明図で、芳香剤容器１内には液状芳香剤が充填されており、」（第５頁第５及び６行）
　
（２ｄ）「ＤＥＳは直流電源で、…（中略）…。Ａは直流電源ＤＥＳにより駆動される制御回路であり、室内照度を検出する照度検知回路ＰＤからの信号を受けてモータＭを回転駆動制御する。モータＭの回転軸４の先端にはファン５が揮発具３に対向して設けられており、吸水片３ａに空気を吹きつけて芳香剤を強制的に蒸発・発散させている。」
　
（２ｅ）「室内照度の変化（主には昼・夜の明暗変動）に即応して、室内が暗い時は回転速度を減少して芳香剤発散率を抑制し、室内が明るい時は回転速度を増加して発散率（蒸発速度）を促進し、芳香機能の不要な時における芳香剤の損耗を極力抑制し、芳香剤の長寿命化を達成するとともに同時に不要時における電力の省力化を達成したものであり、実用的価値の高い芳香剤発散器である。」
　
５．対比
　
　そこで、本願発明と引用発明１とを対比すると、引用発明１の「ユニットベース１２」、「送風手段４０」、「芳香剤１８、消臭剤２０」、「収納部２２、２４」、「電源スイッチ５０」、「タイムセレクタ７８」及び「フレグランスコントローラ」は、それぞれ本願発明の「装置本体１」、「送風機２」、「揮散性薬剤」、「薬剤保持体３」、「起動手段６」、「切換スイッチ２３」及び「薬剤揮散装置」に相当する。
　引用発明１の、送風手段４０に接続された「ＤＣ／ＡＣインバータ４８」は、前記送風手段４０が当然に駆動のためのモータを有するものであると認められるから、本願発明の「送風機の電動モータに通電制御する電流制御回路」に相当する。
　引用発明１の、タイムセレクタ７８の所定時間の作動ポジションとインターバルタイマー７６の出力部との間で形成される回路は、本願発明の「電流制御回路に、間欠的に通電信号を出力する第１通電信号出力回路」に相当し、引用発明１の、上記タイムセレクタ７８の所定時間の作動ポジションとインターバルタイマー７６とからなる回路とＤＣ／ＡＣインバータ４８とからなる部分は、本願発明の「電動モータに間欠的に通電する第１制御部」に相当する（なお、本願発明の「第１制御部」について、本願明細書の段落【００２６】には、「電流制御回路２０と第１通電信号出力回路２１で前述の第１制御部８を構成し」と定義されている。）。
　引用発明１の、タイムセレクタ７８の連続ポジションとインターバルタイマー７６の出力部との間で形成される回路は、本願発明の「電流制御回路に、連続的に通電信号を出力する第２通電信号出力回路」に相当し、引用発明１の、上記タイムセレクタ７８の連続ポジションとインターバルタイマー７６とからなる回路とＤＣ／ＡＣインバータ４８とからなる部分は、本願発明の「電動モータに連続的に通電する第２制御部」に相当する（なお、本願発明の「第２制御部」について、本願明細書の段落【００２６】には、「電流制御回路２０と第２通電信号出力回路２２で前述の第２制御部９を構成している」と定義されている。）。
　引用発明１の「所定時間の作動ポジション」及び「連続ポジション」は、それぞれ本願発明の「第１位置」及び「第２位置」に相当する。
　よって、両者は、
　
「装置本体と、送風機と、揮散性薬剤を有する薬剤保持体と、前記送風機を駆動制御する制御部と、起動手段を備え、送風機を駆動して薬剤保持体に送風することで揮散性薬剤を気中に揮散する薬剤揮散装置であって、
　前記制御部は、送風機の電動モータに通電制御する電流制御回路に、間欠的に通電信号を出力する第１通電信号出力回路を有し、前記電動モータに間欠的に通電する第１制御部と、前記電流制御回路に、連続的に通電信号を出力する第２通電信号出力回路を有し、前記電動モータに連続的に通電する第２制御部と、前記第１通電信号出力回路の通電信号を前記電流制御回路に出力する第１位置と、第２通電信号出力回路の通電信号を前記電流制御回路に出力する第２位置とに切り換わる切換スイッチを備え、
　前記起動手段は、前記第１・第２通電信号出力回路に起動信号を入力し、
　前記制御部は、前記起動手段から起動信号が入力されると送風機を駆動し、前記起動信号が入力されている時に切換スイッチの切換により、第１制御部が作動して送風機を間欠駆動するか、または、第２制御部が作動して送風機を連続駆動する、薬剤揮散装置。」
　
の点で一致し、以下の点で相違している。
　
［相違点］本願発明は、切換信号を入力する切換手段を備え、切換スイッチが、通常時は第１位置に保持され続け、切換信号が入力されると第２位置に切り換わり、その切換信号が入力されなくなると前記第１位置に切り換わるものであり、起動手段から起動信号が入力されると送風機を間欠駆動し、前記起動信号が入力されている時に切換手段から切換信号が入力されると送風機を連続駆動し、かつ前記切換信号が入力されなくなった時には送風機を間欠駆動するのに対し、引用発明１は、ドライバー等の乗員がタイムセレクタ７８を操作し、芳香、消臭の作用時間を任意に選択して、好み等に応じた香料の濃度、消臭状態等の室内環境を設定するものであり、電源スイッチ５０の操作により送風手段４０を駆動し、タイムセレクタ７８によって所定時間の作動ポジションを選択した場合においては間欠式に送風手段４０の駆動を行い、タイムセレクタ７８によって連続ポジションを選択した場合においては連続して送風手段４０の駆動を行うものである点。
　
６．判断
　
　上記相違点について検討する。
　引用例２には、芳香剤発散器において、室内照度を検出する照度検知回路と、該照度検知回路からの信号を受けてファンのモータを駆動制御する制御回路とを備え、室内照度が基準照度より小さくなるとトランジスタＴＲ４がオフとなって、ファンが低速回転し、室内照度が基準照度より大きくなるとトランジスタＴＲ４がオンとなりトランジスタＴＲ２がオンとなって、ファンが高速回転することにより、芳香機能の不要な時における芳香剤の消耗を抑制し、不要時における電力の省力化を達成する事項が記載されている。
　ここで引用例２に記載された発明の「室内照度が基準照度より小さい」時は、本願発明の「通常時」に相当する（本願明細書の段落【００３０】には、光センサーを切換手段として、光を検知した時に切換信号を出力する事項が記載されており、光を検知しない時、すなわち暗い時が「通常時」であるといえる。）。
　引用例２に記載された発明の「照度検知回路」及び「トランジスタ」は、本願発明の「切換手段」及び「切換スイッチ」に相当する。
　引用例２に記載された発明の「トランジスタがオフ」の状態は、本願発明の、切換信号が入力されていない状態に相当し、引用例２に記載された発明の「トランジスタがオン」の状態は、本願発明の、切換信号が入力されている状態に相当する。
　引用例２に記載された発明の「ファン」、「モータ」及び「制御回路」は、それぞれ本願発明の「送風機」、「電動モータ」及び「制御部」に相当する。
　また、引用例２に記載された発明の「ファンが低速回転」する状態は、薬剤の気中濃度が低くなる限りにおいて、本願発明の「送風機を間欠駆動」する状態に共通し、引用例２に記載された発明の「ファンが高速回転」する状態は、薬剤の気中濃度が高くなる限りにおいて、本願発明の「送風機を連続駆動」する状態に共通する。
　すなわち、引用例２には、芳香剤発散器の送風機の電動モータを駆動制御する制御部において、通常時は薬剤の気中濃度が低くなるように送風機を駆動し、切換手段から切換信号が入力されると薬剤の気中濃度が高くなるように送風機を駆動し、前記切換信号が入力されなくなった時には薬剤の気中濃度が低くなるように送風機を駆動する、送風機の駆動の切り換え手段が記載されているといえる。
　さらに、引用発明１において、タイムセレクタの選択ポジションを、単一の所定時間の作動ポジションと連続ポジションの２つに限定することは、設計上適宜なしうる事項である。
　そして、引用発明１と引用例２に記載された発明とは、共に薬剤を発散させる装置という同一の技術分野に属し、かつ、バッテリーの過剰な消耗を防止するという課題も共通するから、引用発明１の、タイムセレクタにおける所定時間の作動ポジションと連続ポジションとを切り換える手段として、引用例２記載の、上記の、切換手段からの切換信号の有無により切り換えを行う手段を適用して、本願発明のような構成とすることは、当業者が容易に想到し得たことである。
　また、本願発明の効果は、引用発明１及び引用例２に記載された発明から当業者が予測し得た程度のものである。
　
７．むすび
　
　したがって、本願発明は、引用発明１及び引用例２に記載された発明に基づいて当業者が容易に発明をすることができたものであるから、他の請求項について検討するまでもなく、本願は、特許法第２９条第２項の規定により特許を受けることができない。
　本願は、当審で通知した上記拒絶理由によって拒絶をすべきものである。
　よって、結論のとおり審決する。